(57)【特許請求の範囲】
【請求項１】
レンズ鏡筒の外周に着脱可能に装着され、カメラアクセサリを支持するアクセサリ装着装置であって、
装置本体の周方向複数箇所において、レンズ鏡筒側に環状形成された係合溝部に対して係合可能な係合位置と係合解除が可能な解除位置とに移動可能に支持されるとともに、前記係合位置の方向に付勢された複数の係合部材と、
前記装置本体の周方向に回動可能であって、回動時に前記複数の係合部材を前記係合位置の方向への付勢力に抗して前記解除位置に移動させる複数のカム部を備えた環状の係合解除部材と、
使用者に操作されることによって、前記係合解除部材を前記装置本体に対して回動させる操作部材とを有することを特徴とするアクセサリ装着装置。
【請求項２】
前記係合部材を付勢する付勢部材が、前記複数の係合部材のうち前記装置本体の周方向にて隣り合う一対の係合部材ごとに、かつ対をなす２つの係合部材の間に配置されて、前記一対の係合部材の双方を前記係合位置の方向に付勢することを特徴とする請求項１に記載のアクセサリ装着装置。
【請求項３】
前記操作部材が、前記装置本体の径方向に操作され、
前記操作部材の径方向の操作力を前記係合解除部材の回動力に変換する変換部材を有することを特徴とする請求項１又は２に記載のアクセサリ装着装置。
【請求項４】
請求項１から３のいずれか１つに記載のアクセサリ装着装置と、このアクセサリ装着装置により支持されるカメラアクセサリと、前記アクセサリ装着装置が装着されるレンズ鏡筒を備えたカメラとを有することを特徴とするカメラシステム。
【請求項５】
前記カメラアクセサリが照明装置であることを特徴とする請求項４に記載のカメラシステム。
【発明の詳細な説明】
【０００１】
【発明の属する技術分野】
本発明は、主にカメラのレンズ鏡筒に装着可能なカメラアクセサリ（付属品）の装着装置に関するものである。
【０００２】
【従来の技術】
カメラのレンズ鏡筒に取り付けられる付属品としては、例えば、マクロレンズの鏡筒先端に取り付ける接写用ストロボがある。
【０００３】
実開昭６０−３９０２４号公報には、略環状に配置された発光部がレンズ鏡筒への装着装置と一体化したいわゆるリングタイプの接写ストロボが提案されている。
【０００４】
この接写ストロボは、レンズ鏡筒の外周と略嵌合状態となる鏡筒嵌合部の内径面にほぼ均等に配置された、それぞれ付勢力を有する複数の係合部材（嵌合部材）を、レンズ鏡筒の先端にねじ込まれたアダプターリングに形成された係合溝部に係合させて取り付ける。
【０００５】
上記係合部材にはそれぞれ、トーションバネ（付勢部材）が掛けられており、左右それぞれにて対をなす係合部材に当接可能な操作部材が設けられている。これらの左右に突出する操作部材を押圧操作することで、嵌合部材を直接退避動作させてレンズ鏡筒への着脱を行う。
【０００６】
上記の構造を持つ装着装置においては、レンズ鏡筒の径方向の保持は鏡筒嵌合部の嵌合でなされ、レンズ鏡筒の光軸方向での保持は係合溝部と係合部材との係合により確実になされる。
【０００７】
また、光軸周りの回転方向での保持については、付勢された係合部材と係合溝部との間に発生する摩擦力によるが、この摩擦力よりも大きな力で接写用ストロボ全体を旋回させることによって、撮影時の条件に応じて発光部の角度を容易に変更することができる。
【０００８】
さらに、着脱操作は、レンズ鏡筒の径方向（左右方向）において対向配置された押し釦状の操作部材を操作して行う。
【０００９】
【発明が解決しようとする課題】
接写用ストロボには、実開昭５３−４９４２８号公報にて提案されているもののように、装着装置とは別体の首振り可能な発光部が左右に取付けられた、いわゆるツインタイプの接写ストロボもある。
【００１０】
この場合、左右に発光部が存在するため、上記実開昭６０−３９０２４号公報にて提案の接写ストロボのように、操作部材を左右方向に対向させて配置するスペースが無い。
【００１１】
したがって、上記実開昭５３−４９４２８号公報にて提案の接写ストロボのレンズ鏡筒への取り付けは、装着装置の上部に設けられた締め付けネジによって行う。
【００１２】
しかしながら、この場合、実開昭５３−４９４２８号公報にて提案の接写ストロボの装着方法に比べて着脱作業が面倒であるばかりか、接写ストロボ全体をレンズ光軸周りに自在に回転させることができないので、例えば縦位置撮影を行うときなどには各発光部をそれぞれ回転操作しなければならない。
【００１３】
なお、この不都合は、上記実開昭５３−４９４２８号公報に示された、互いに対向する操作部材を上下方向に対向配置して、同公報に示された接写用ストロボの取付方法を採用することで解決することは可能である。
【００１４】
しかしながら、接写撮影においては、接写ストロボ自体が被写体に非常に近接し、装着装置の下部が地面などと干渉する恐れがある。したがって、装着装置の下部に操作部材などの突出物を配置するのは望ましくない。
【００１５】
また、上述した操作部材を備える装着装置は、以下の理由により、できるだけ小型である方が望ましい。
【００１６】
まず、装着装置が大型化して、左右の発光部がレンズ光軸から離れた位置にしか配置できない場合、非常に近接した被写体に対しては極端に真横からの配光となってしまい、使い勝手が良くない。
【００１７】
また、マクロレンズはレンズから数センチの距離にある被写体を撮影するのに用いられる場合があり、レンズ光軸方向に装着装置の厚みが増すと、装着装置自体が被写体と干渉したり、ストロボ光を遮ったりする可能性がある。
【００１８】
そこで、本発明は、操作部材の操作により複数の係合部材の係合解除操作を行うことができ、さらにはできるだけ小型のアクセサリ装着装置を提供することを目的とする。
【００１９】
【課題を解決するための手段】
上記の目的を達成するために、本発明では、レンズ鏡筒の外周に着脱可能に装着され、カメラアクセサリを支持するアクセサリ装着装置を、装置本体の周方向複数箇所において、レンズ鏡筒側に環状形成された係合溝部に対して係合可能な係合位置と係合解除が可能な解除位置とに移動可能に支持されるとともに、係合位置の方向に付勢された複数の係合部材と、装置本体の周方向に回動可能であって、回動時に複数の係合部材を係合位置の方向への付勢力に抗して解除位置に移動させる複数のカム部を備えた環状の係合解除部材と、使用者に操作されることによって、前記係合解除部材を前記装置本体に対して回動させる操作部材とを有する。
【００２０】
これにより、操作部材を操作するだけで、係合解除部材を回動させ、この係合解除部材の複数のカム部によって全ての係合部材を解除位置に移動させることが可能となる。このように、複数の係合部材を解除動作させるのに操作部材を操作するだけでよいので、アクセサリ装着装置のレンズ鏡筒に対する着脱を容易に行えるだけでなく、装置本体上でのカメラアクセサリの支持位置の選択自由度を大きくすることが可能となる。
【００２１】
したがって、例えばツインタイプのストロボを用いる場合でも、自由なカメラ姿勢で撮影を行うことが可能となる。
【００２２】
なお、係合部材を付勢する付勢部材を、複数の係合部材のうち装置本体の周方向にて隣り合う一対の係合部材ごとに、かつ対をなす２つの係合部材の間に配置し、一対の係合部材の双方を係合位置の方向に付勢するようにすることにより、複数の係合部材および係合部材数に比べて少ない（半分の）数の付勢部材を概ね環状にスペース効率良く配置することが可能となり、アクセサリ装着装置の小型化を図ることが可能となる。
【００２３】
また、特に、上記操作部材を、装置本体の径方向に操作されるようにし、この操作部材の径方向の操作力を係合解除部材の回動力に変換する変換部材を設けることによって、着脱操作性を良くすることが可能である。
【００２４】
【発明の実施の形態】
まず、図５および図６には、カメラのレンズ鏡筒４０に装着可能な、本発明の実施形態であるストロボ装着装置（アクセサリ装着装置）３０を示している。なお、本実施形態では、アクセサリ装着装置３０にツインタイプの接写用ストロボ（照明装置）３４，３５を支持させる場合について説明する。図５は装着装置３０、レンズ鏡筒４０およびストロボ３４，３５を示す斜視図であり、図６はこれらの正面図である。
【００２５】
各ストロボ３４，３５は、不図示のキセノン管を内蔵し、正面に発光パネル３４ｄ，３５ｄを備える。このストロボ３４，３５は、脚部３４ｂ（ストロボ３５側は不図示）に対してストロボ発光部が首振り可能に取り付けられて構成されている。これにより、ストロボ３４，３５をアクセサリ装着装置３０を介してレンズ鏡筒４０に装着した状態で、被写体の位置等に合わせてストロボ発光部の向きを調整することができる。
【００２６】
ケーブル３４ａ，３５ａは、カメラ本体に取り付けられる不図示の制御部に接続されている。なお、制御部には、操作パネルや電源やストロボ発光用のメインコンデンサなどを備えている。
【００２７】
アクセサリ装着装置３０は、環状の本体部（装置本体）３１と２つの台座部３２，３３とにより構成される。
【００２８】
本体部３１の外周左右には、ラチェット１ｈを内包する台座収納部３１ａが設けられており、ここに台座部３２，３３が取り付けられる。台座部３２，３３は台座収納部３１ａの範囲内で旋回可能であるとともに、ラチェット１ｈとの係合により任意の旋回位置で固定可能である。
【００２９】
本体部３１は、その下面３１ｂが略水平に切り欠かれた形状をしている。これは接写撮影時において本体部３１の下面３１ｂが地面等に干渉しないようにするためのものである。
【００３０】
ストロボ３４，３５は、脚部３４ｂ（ストロボ３５側は不図示）の先端が台座部３２，３３のシュー部３３ａに挿入されることで台座部３２，３３に取り付けられる。
【００３１】
シュー部３３ａの床面は、後述する保持板２０で構成されており、この保持板２０が付勢力によって脚部３４ｂ，３５ｂを押さえ込み、ストロボ３４，３５のガタつきを防止する。また、保持板２０に設けられた爪２０ａが脚部の係止溝３４ｃに係合することによって、ストロボ３４，３５の脱落が防止される。なお、この係止状態は、保持板２０に一体形成された操作部２０ｂを操作することによって解除することが可能である。
【００３２】
環状の本体部３１の内周側には、レンズ鏡筒４０の外周と略嵌合する筒状の鏡筒嵌合面１ｋとレンズ鏡筒の先端面４０ｂが当接する鏡筒突き当て面１ｇとが設けられている。鏡筒嵌合面１ｋからは、円周方向に略均等間隔で配置された係止フック（係合部材）７，８、９，１０の係合爪部７ａ〜１０ａが突出する。
【００３３】
装着装置３０は上記鏡筒嵌合面１ｋをレンズ鏡筒４０に径嵌合させ、係止フック７〜１０の係合爪部７ａ〜１０ａをレンズ鏡筒４０の先端部に環状に形成された係合溝部４０ａに係合させることでレンズ鏡筒に保持される。
【００３４】
本体部３１の上部には、係止フック７〜１０の係合爪部７ａ〜１０ａを鏡筒嵌合面１ｋから退避させるために操作される単一の操作ボタン（操作部材）５がある。係合爪部７ａ〜１０ａがレンズ鏡筒４０の係合溝部４０ａに係合した状態でこの操作ボタン５を本体部３１の径方向内側に向かって押圧操作することで、係止フック７〜１０を退避動作させて上記係合を解除し、装着装置３０をレンズ鏡筒４０から取り外すことができる。
【００３５】
なお、本実施形態では、係合溝部４０ａがレンズ鏡筒４０に一体形成された場合を示しているが、レンズ鏡筒の先端に備えられたフィルター取付け用のネジ部に固着されたアダプターリングに、係合溝部４０ａに相当する溝部が形成されていてもよい。
【００３６】
次に、図１〜図４を用いて装着装置３０の構成について説明する。なお、図１には、装着装置３０の全体構成を分解して示しており、図２および図３には、装着装置３０の本体部３１の内部構成を示している。また、図４には、装着装置３０をレンズ鏡筒４０に装着した状態での側面断面（図６のＡ−Ａ線断面）を示している。
【００３７】
本体部３１は、リアケース１とフロントケース２とを構造部材として構成されている。リアケース１には、各部材を取り付けるための軸類が一体形成されており、左右外周部分にはラチェット１ｈが形成されている。
【００３８】
リアケース１の上部に突出するクランク軸１ｅには、クランク（変換部材）６が回動可能に取り付けられている。このクランク６の腕部６ｃには、操作ボタン５が被せられている。
【００３９】
リアケース１の内側に、円周方向に略均等間隔で配置された取付ボス１ａ，１ｂ，１ｃ，１ｄには、係止フック７，８，９，１０に形成された嵌合穴部７ｂ，８ｂ，９ｂ，１０ｂが回動可能に嵌合している。係止フック７〜１０は、この取付ボス１ａ〜１ｄを中心として２方向に腕が延びた形状を有しており、これら腕部のうち一方の腕部の先端に上記係合爪部７ａ〜１０ａが形成されている。
【００４０】
本実施形態では、本体部３１の円周方向に４つの係止フック７〜１０が配置されているが、このうち円周方向にて隣り合う一対の係止フック７，８の間および他の一対の係止フック９，１０の間にはそれぞれ、トーションバネ（付勢部材）１１，１２が配置されている。
【００４１】
トーションバネ１１，１２の腕部１１ａ，１１ｂ，１２ａ，１２ｂはそれぞれ、係止フック７〜１０の他方の腕部に形成されたバネ掛け部７ｅ，８ｅ，９ｅ，１０ｅに掛けられている。
【００４２】
これにより、トーションバネ１１，１２の付勢力はそれぞれ、２つの係止フックに相対的に作用し、係止フック７〜１０は係止爪部７ａ〜１０ａが本体部３１の鏡筒嵌合面１ｋから中心方向に突出するように付勢される。
【００４３】
図２に示すように、リアケース１には、係止フック７〜１０および係止バネ１１，１２が略環状となって配置される。そして、これらの部材の前側に重なるように、解除リング（係合解除部材）４が、リアケース１の内側に形成されたリング嵌合部１ｉに回動可能に取り付けられる。解除リング４の係合穴４ｅには、クランク６の係合ピン６ｂが係合する。
【００４４】
解除リング４の前側には、バヨネットリング３が配置され、このバヨネットリング３はリアケース１の内側にネジ止めされて、係止フック７〜１０、トーションバネ１１，１２および解除リング４の抜け止めを行う。なお、バヨネットリング３には、フードなどの取付けを可能とするバヨネット３ｂが一体形成されている。
【００４５】
そして、バヨネットリング３の前側からはフロントケース２が被せられ、リアケース１と一体化される。フロントケース２の内径部の穴２ｂからは、バヨネット３ｂが突出する。
【００４６】
台座部３２，３３は台座ケース１３と台座カバー１４とを構造部材として構成されている。これら台座部３２，３３は、台座ケース１３の脚部を本体部３１の脚収納部に挿入することで本体部３１に保持されるが、台座ケース１３の係合突起１３ａをフロントケース２の内側に形成されたフロントレール２ｃに嵌合させるとともに台座カバー１４の係合突起１４ａをリアケース１に形成されたリアレール１ｊに径嵌合させることでガタつきが防止される。
【００４７】
台座ケース１４内には、先端に本体部３１側のラチェット１ｈと係合可能な爪部１５ａを有するラチェット爪１５および前述の保持板２０が納められている。ラチェット爪１５は、本体部３１における径方向に進退可能であり、保持板２０は取付溝２０ｃの近傍を回転中心として揺動可能となっている。
【００４８】
ラチェット爪１５と保持板２０との間には、圧縮コイルバネである係合バネ１９が掛けられており、係合バネ１９の付勢力はラチェット爪１５の爪部１５ａがラチェット１ｈと係合する力を与えるとともに、保持板２０に前述のストロボ３４，３５の脚部３４ｂの保持力を与える。ラチェット爪１５とラチェット１ｈの係合により、台座部３２，３３はラチェット１ｈのピッチで決まる任意の位置にて保持される。
【００４９】
１６，１７はラチェット爪１５の係合を解除するための解除ボタンであり、この解除ボタン１６，１７が押圧操作されることによって、解除ボタン１６，１７のテーパー面１６ａ，１７ａがラチェット爪１５の当接面１５ｂに作用し、ラチェット爪１５を係合バネ１９の付勢力に抗して動作させ、爪部１５ａとラチェット１ｈの係合を解除する。
【００５０】
解除ボタン１６，１７の間に掛けられる、圧縮コイルバネであるボタンバネ１８は、解除ボタン１６，１７を待機位置に復帰させ、スラスト方向のがたつきを防止する。
【００５１】
次に、本体部３１の操作ボタン５が操作された際の係止フック７〜１０の動作について説明するが、その前にレンズ鏡筒４０への装着時における各係止フックの状態を説明する。
【００５２】
レンズ鏡筒４０に装着装置３０が装着された状態では、図４に示すように、係止フック８，１０の係止爪部８ａ，１０ａに形成されたテーパー状の付勢面８ｄ，１０ｄが、レンズ鏡筒４０の係合溝部４０ａのエッジ４０ｃに当接する（他の係止フック７，９も同様である）。
【００５３】
従って、トーションバネ１１，１２の付勢力は、レンズ鏡筒４０を挟み込むように作用するとともに、レンズ鏡筒４０の先端面４０ｂをリアケース１の鏡筒突き当て面１ｇに押し付けるように作用し、レンズ鏡筒４０を確実に保持する。
【００５４】
上記のように係合溝部４０ａと係合する係合位置にある係止フック７〜１０の係合解除動作は解除リング４により行う。
【００５５】
解除リング４の図２における裏面側には、各係止フック７〜１０の係止爪部７ａ〜１０ａの近傍に位置するカム面４ａ，４ｂ，４ｃ，４ｄが形成されている。また、係止フック側には、これらカム面４ａ〜４ｄと当接可能なカムフォロアー部７ｃ，８ｃ，９ｃ，１０ｃが形成されている。
【００５６】
レンズ鏡筒４０に装着されている時など、操作ボタン５が操作されていない状態では、解除リング４は自由状態にあり、上記カム面４ａ〜４ｄはカムフォロアー部７ｃ〜１０ｃに何ら作用しない。
【００５７】
図３には、操作ボタン５が操作されたときの各部材の状態を示している。操作ボタン５が押圧操作されて下方へ押し下げられると、操作ボタン５の当接面５ａに対して腕部６ｃの先端にて当接するクランク６が時計回り方向に旋回する。
【００５８】
これにより、クランク６の係合ピン６ｂに係合する解除リング４は、レンズ鏡筒４０の光軸と略同一な中心軸４ｆ周りで反時計回り方向に旋回する。
【００５９】
解除リング４が反時計回り方向に旋回すると、解除リング４の各カム面４ａ〜４ｄが各係止フック７〜１０のカムフォロアー部７ｃ〜１０ｃと当接して各係止フック７〜１０をトーションバネ１１，１２の付勢力に抗して係合爪部７ａ〜１０ａが退避する方向、すなわち解除位置に回動させ、図３に示す状態とする。
【００６０】
こうして、係止フック７〜１０とレンズ鏡筒４０の係合溝部４０ａとの係合が解除され、装着装置３０のレンズ鏡筒４０からの取り外しが可能となる。
【００６１】
なお、操作ボタン５から手を離して押圧操作を中止すると、係止フック７〜１０のカムフォロアー部７ｃ〜１０ｃが当接する解除リング４のカム面４ａ〜４ｄには、トーションバネ１１，１２の付勢力が図３中Ｆで示す方向に作用するため、係止フック７〜１０の復帰動作とともに解除リング４も時計回り方向に旋回して図２に示す状態に復帰する。
【００６２】
このように、本実施形態によれば、すべての係止フック７〜１０を同時に係合解除動作させる解除リング４を設けることで、単一の操作ボタン５を操作して解除リング４を旋回させるだけで係止フック７〜１０の係合解除動作を行わせることができる。このため、レンズ鏡筒４０に対する装着装置３０の着脱を容易に行うことができる。しかも、本体部３１上でのストロボ３４，３５の支持位置の範囲（ラチェット１ｈの形成範囲）を大きく確保することができ、ストロボ３４，３５の配置位置の選択自由度を大きくすることができる。したがって、本実施形態のように２つのストロボを用いる場合でも、自由なカメラ姿勢で撮影を行うことができる。
【００６３】
また、本実施形態では、環状の解除リング４を係止フック７〜１０への操作力の伝達に用いているため、レバーで連動させるような機構と比較して部材の撓み等による操作力の損失が少ないうえに、各係止フック７〜１０に均等に操作力を伝達することができる。
【００６４】
また、係止フック７〜１０とトーションバネ１１，１２を、本体部３１に、レンズ鏡筒４０を取り囲むように効率よく略環状に配置し、これに重なる形で解除リング４を配置したので、装着装置３０を非常に小型に構成することが可能である。しかも、２つの係止フックに対して１つのトーションバネを用いるので、部品点数の削減も図ることができる。
【００６５】
また、解除リング４の旋回（回動）は、クランク６を介して操作ボタン５による押圧動作で行えるようにしたので、非常に操作性が良い。
【００６６】
なお、本実施形態では、操作ボタン５を介してクランク６を回転させ、解除リング４を旋回させる場合について説明したが、クランク６自体を操作部材として、このクランク６の腕部６ｃに相当する部分を直接操作する構成としてもよい。
【００６７】
さらに、解除リングにレバー状の操作部を一体形成して装着装置の外部に露出させ、この露出した操作部を操作することによって解除リングを旋回操作できるようにすれば、大幅な部品点数の削減を図ることができる。
【００６８】
なお、本実施形態では、ストロボ用の装着装置について説明したが、本発明のアクセサリ装着装置は、ゼラチンフィルタフォルダー等のレンズ鏡筒に装着する他のアクセサリ（付属品）用の装着装置にも適用することができる。
【００６９】
【発明の効果】
以上説明したように、本発明によれば、操作部材を操作するだけで、係合解除部材を回動させ、この係合解除部材の複数のカム部によって全ての係合部材を解除位置に移動させることができる。すなわち、複数の係合部材を解除動作させるのに操作部材を操作するだけでよいので、アクセサリ装着装置のレンズ鏡筒に対する着脱を容易に行えるだけでなく、装置本体上でのカメラアクセサリの支持位置の選択自由度を大きくすることができる。
【００７０】
なお、係合部材を付勢する付勢部材を、複数の係合部材のうち装置本体の周方向にて隣り合う一対の係合部材ごとに、かつ対をなす２つの係合部材の間に配置し、一対の係合部材の双方を係合位置の方向に付勢するようにすることにより、複数の係合部材および係合部材の数に比べて少ない数の付勢部材を概ね環状にスペース効率良く配置することができ、アクセサリ装着装置の小型化を図ることができる。
【００７１】
また、特に、上記操作部材を、装置本体の径方向に操作されるようにし、この操作部材の径方向の操作力を係合解除部材の回動力に変換する変換部材を設ければ、着脱操作性を良くすることができる。
【図面の簡単な説明】
【図１】本発明の実施形態であるストロボ装着装置の分解斜視図である。
【図２】上記ストロボ装着装置の主要部を示す図である。
【図３】上記ストロボ装着装置における操作部材を操作した際の各主要部材の動作を示す図である。
【図４】上記ストロボ装着装置がレンズ鏡筒に装着されている状態を示す断面図である。
【図５】上記ストロボ装着装置を有する接写用ストロボを示す斜視図である。
【図６】上記ストロボ装着装置をレンズ付き当て面側から見た図である。
【符号の説明】
１  リアケース
１ａ，１ｂ，１ｃ，１ｄ  取付ボス
１ｅ  クランク軸
１ｇ  鏡筒突き当て面
１ｈ  ラチェット
１ｋ  鏡筒嵌合面
２  フロントケース
３  バヨネットリング
４  解除リング
４ａ，４ｂ，４ｃ，４ｄ  カム面
５  操作ボタン
６  クランク
７，８，９，１０  係止フック
７ａ，８ａ，９ａ，１０ａ  係止爪部
７ｃ，８ｃ，９ｃ，１０ｃ  カムフォロアー部
１１，１２  トーションバネ
１３  台座ケース
１４  台座カバー
１５  ラチェット爪
２０  保持板
３０  ストロボ装着装置
３１  本体部
３２，３３  台座部
３４，３５  接写用ストロボ
４０  レンズ鏡筒
４０ａ  係合溝部
【図１】
0004366026.tif 000002
【図２】
0004366026.tif 000003
【図３】
0004366026.tif 000004
【図４】
0004366026.tif 000005
【図５】
0004366026.tif 000006
【図６】
0004366026.tif 000007